(57)【要約】  【課題】複数の被験者を区別できる健康管理システムの提供。  【解決手段】温水洗浄便座装置と、採取された尿を検査し、この結果を検査項目ごとにディジタル化する検査装置と、前記検査装置にてディジタル化された検査結果及び前記温水洗浄便座装置の操作ボタンの組み合わせにより生成される前記検査結果の被験者の識別番号を、インターネットを介して外部機関に伝送する伝送装置と、前記外部機関による前記検査結果の解析結果を受領する回答受領装置とを備える、健康管理システム。【選択図】  図１
2008216166.tif 000002
【特許請求の範囲】
【請求項１】
採取された尿を検査し、この結果を検査項目ごとにディジタル化する検査装置と、温水洗浄便座装置と、前記検査装置にてディジタル化された検査結果及び前記温水洗浄便座装置の操作ボタンの組み合わせにより生成される前記検査結果の被験者の識別番号を、インターネットを介して外部機関に伝送する伝送装置と、前記外部機関による前記検査結果の解析結果を受領する回答受領装置とを備える、健康管理システム。
【請求項２】
前記検査装置は、前記尿が滴下される試験紙と、前記試験紙の所定の位置を照準し、前記位置に毛細管現象にて移動してきた前記尿を光学的に認知する計測部と、前記計測部の認知内容を前記検査項目毎にディジタル化された前記検査結果を生成する生成部とを有する、請求項１記載の健康管理システム。
【請求項３】
前記生成部における前記検査結果は、イムノクロマト定量計測法に依拠して生成される、請求項２記載の健康管理システム。
【請求項４】
前記生成部における前記検査結果は、ＳＰＲ定量計測法に依拠して生成される、請求項２記載の健康管理システム。
【請求項５】
前記検査装置の前記計測部及び前記生成部は、前記温水洗浄便座装置の本体部内に設けられた、請求項２記載の健康管理システム。
【請求項６】
前記生成部は、前記温水洗浄便座装置の制御装置と兼用されている、請求項５記載の健康管理システム。
【請求項７】
前記回答受領装置はファクシミリである、請求項１記載の健康管理システム。
【発明の詳細な説明】
【技術分野】
【０００１】
本発明は、トイレにおいて得られる生体情報を外部機関に送信し、専門家による健康管理を受けることを可能にする健康管理システムに関する。
【背景技術】
【０００２】
例えば、特許文献１に記載の健康管理システムは、インターネットを介して病院その他の専門機関の端末と接続された個人宅の便器には、排尿毎に尿分析項目についての陰性陽性中性判定を自動的に行う機能と、この尿成分の分析結果データを病院端末に送信する機能と、表示機能とを有する。また、専門機関の端末は、個人宅の便器から分析結果データを受信すると、在宅者の健康状態を自動的に解析する機能と、解析による所見を個人宅に回答する機能を有する。しかして、専門機関の端末は、個人宅の便器ごとに付与されている識別記号により、上記した回答を行なうようになっている。
【特許文献１】特開２００４−１６６９８５号公報
【発明の開示】
【発明が解決しようとする課題】
【０００３】
特許文献１に開示された健康管理システムは、確かに、在宅者の健康管理を適切に行なうことができ、秀でたるものと言える。しかしながら、識別番号が個人宅毎にしか付与されていないので、個人宅に複数の被験者がいた場合、被験者の区別が出来ず、実用的とは言い難い。
【０００４】
それ故に、本発明は、個人宅に複数の被験者がいた場合でも、被験者の識別を可能ならしめることを、その技術的課題とする。
【課題を解決するための手段】
【０００５】
上記の課題を解決するために講じた第１の技術的手段は、請求項１に記載のように、
「採取された尿を検査し、この結果を検査項目ごとにディジタル化する検査装置と、温水洗浄便座装置と、前記検査装置にてディジタル化された検査結果及び前記温水洗浄便座装置の操作ボタンの組み合わせにより生成される前記検査結果の被験者の識別番号を、インターネットを介して外部機関に伝送する伝送装置と、前記外部機関による前記検査結果の解析結果を受領する回答受領装置とを備える、健康管理システム。
【０００６】
を構成したことである。
【０００７】
尚、前記検査装置は、前記尿が滴下される試験紙と、前記試験紙の所定の位置を照準し、前記位置に毛細管現象にて移動してきた前記尿を光学的に認知する計測部と、前記計測部の認知内容を前記検査項目毎にディジタル化された前記検査結果を生成する生成部とを有するのが好ましい（請求項２）。その際、前記生成部における前記検査結果は、イムノクロマト定量計測法に依拠して生成される（請求項３）か、ＳＰＲ定量計測法に依拠して生成される（請求項４）ようにするのが望ましい。そして、前記検査装置の前記計測部及び前記生成部は、前記温水洗浄便座装置の本体部内に設け（請求項５）、更には、前記温水洗浄便座装置の制御装置と兼用されるのが好ましい（請求項６）。更には、前記回答受領装置はファクシミリであるのが好適である（請求項７）。
【発明の効果】
【０００８】
温水洗浄便座装置の操作ボタンの組み合わせにより被験者の識別番号を生成できるので、被験者が複数存在しても、各被験者は、混同することなく、健康管理システムのサービスを受領できる。
【発明を実施するための最良の形態】
【０００９】
以下、本発明の健康管理システムを具体化した実施形態の一例を、図面を参照して詳細に説明する。
【００１０】
図１に示されるように、健康管理システムＨＳＳは、個人宅ＰＨ（一戸建・マンションその他の集合住宅の居住区画）のトイレ空間ＴＬ内に設置された伝送装置１０を備える。この伝送装置１０は、インターネット２０を介してディジタル化された尿の検査結果を病院ＨＳＰの端末装置３０に伝送する。伝送装置１０から送られる尿の検査結果を受領した端末装置３０は、その内容を画面上に見やすい形式で表示する。この表示を見た医師が、その所見を端末装置３０に入力したとき、その所見が、個人宅ＰＨに設置されているファクシミリ４０に送信される。ファクシミリ４０から出力された所見を見て、被験者は、しかるべきアクションをとることで、被験者の健康管理が行なわれるようになっている。検査結果の送信場所がトイレ空間であるのは、採尿後、直ちに検査結果を病院ＨＳＰの端末装置３０へ伝送するためである。これを実効あらしめるために、採取された尿を検査し、この結果を検査項目ごとにディジタル化する検査装置５０が伝送装置１０に隣接され、検査装置５０にてディジタル化された検査結果が、自動的に伝送装置１０に入力されるようになっている。この自動的入力は、伝送装置１０及び検査装置５０の制御を司る、温水洗浄便座装置９０の制御装置９５によりなされる。また、所見をＦＡＸで受領できるようにしたのは、被験者のなかにはパソコンを所有していない場合もあり、また、所有していても、その操作に不慣れな場合が往々にしてあることを考慮したからである。
【００１１】
図２に示されるように、温水洗浄便座装置９０はロータンク１ｃをもつ便器１の後部に搭載される基部２を備える。基部２には、上下方向に回動可能に設けられ使用者が着座する便座３と、便座３を覆うことができるようにする便蓋４とが、上下方向に回動可能に設けられている。温水洗浄便座装置９０は、更に、人体の局部を洗浄する洗浄水を吐出する洗浄部５と、基部２の袖部２ａに設けられ温水洗浄便座装置９０の機能を操作する操作パネル６と、操作パネル６に設けられ温水洗浄便座装置９０の設定状況または使用状況を表示する表示手段７とを備えている。洗浄部５は、お尻を洗浄する洗浄水を吐出する第１ノズル５１と、ビデ洗浄用の洗浄水を吐出する第２ノズル５２とで形成されている。
【００１２】
基部２には、使用者が便座３に着座（着座に近似した状態も含む）したことを光により検知する光式の着座センサ２２が設けられている。基部２に内部には制御装置９（図４参照）が設けられている。図４に示すように、制御装置９は、信号が入力される入力処理回路９２と、演算処理を行うＣＰＵ９３及びデータ及びプログラムを格納するメモリ９４（累積回数記憶手段）を有する制御回路９５と、制御信号を出力する出力処理回路９６とを備えている。ここで、着座センサ２２，各スイッチ８０〜８７の各信号は入力処理回路９２を経てＣＰＵ９３に入力される。ＣＰＵ９３の制御信号は、出力処理回路９６を介して、第１ノズル５１、第２ノズル５１、便座ヒータ３ｃ、温水ヒータ２ｃ、ＬＥＤ７０ａ〜ＬＥＤ７０ｋにそれぞれの駆動回路を経て出力される。
【００１３】
図３は操作パネル６の操作面６０を示す。図３に示すように、操作パネル６の操作面６０には操作スイッチ８が設けられている。操作スイッチ８は、停止機能を果たす止めスイッチ８０、お尻洗浄用スイッチ８１、ビデ洗浄用スイッチ８２、擬音発生用スイッチ８３、洗浄水の水勢の強さを弱くなるように調整する第１水勢スイッチ８４、洗浄水の水勢の強さを強くなるように調整する第２水勢スイッチ８５、便座３の温度を調整する便座スイッチ８６、洗浄水の温度を調整する温水スイッチ８７が設けられている。
【００１４】
更に、図３に示すように、表示手段７は、操作パネル６の操作面６０に設けられた表示素子として機能する複数のＬＥＤ７０ａ〜ＬＥＤ７０ｋで構成されている。ＬＥＤ７０ａ、ＬＥＤ７０ｂ、ＬＥＤ７０ｃは洗浄水の水勢のレベルを示すものであり、ＬＥＤ７０ａは水勢が相対的に弱いことを示し、ＬＥＤ７０ｂは水勢が相対的に中であることを示し、ＬＥＤ７０ｃは水勢が相対的に強いことを示す。ＬＥＤ７０ｄ、ＬＥＤ７０ｅ、ＬＥＤ７０ｆは便座３の温度のレベルを示すものであり、ＬＥＤ７０ｄは相対的に低温を示し、ＬＥＤ７０ｅは相対的に中温を示し、ＬＥＤ７０ｆは相対的に高温を示す。ＬＥＤ７０ｇ、ＬＥＤ７０ｈ、ＬＥＤ７０ｉは洗浄水の温度のレベルを示すものであり、ＬＥＤ７０ｇは相対的に低温を示し、ＬＥＤ７０ｈは相対的に中温を示し、ＬＥＤ７０ｉは相対的に高温を示す。ＬＥＤ７０ｋは節電モードであることを示す。
【００１５】
ＬＥＤ７０ａ〜ＬＥＤ７０ｋは、温水洗浄便座装置９０が本来もつ機能を果たす洗浄水の温度レベル、便座３の温度レベル、節電モード等を表示する。 排泄の際には、使用者が便座３に着座（着座に近い状態も含む）する。この場合、着座センサ２２が使用者を検知するため、制御装置９は通常制御モードを実行する。通常制御モードによれば、お尻洗浄用スイッチ８１が操作されると、第１ノズル５１から洗浄水が吐出されてお尻洗浄が行われる。ビデ洗浄用スイッチ８２が操作されると、第２ノズル５２から洗浄水が吐出されてビデ洗浄が行われる。擬音発生用スイッチ８３が操作されると、流水音等の擬音が発生する。弱用の第１水勢スイッチ８４が操作されると、第１ノズル５１および第２ノズル５２から吐出される洗浄水の水勢が弱くなるように調整される。強用の第２水勢スイッチ８５が操作されると、第１ノズル５１および第２ノズル５２から吐出される洗浄水の水勢が強くなるように調整される。また、止めスイッチ８０がお尻洗浄中に操作されると、第１ノズル５１から洗浄水が吐出することが停止される。止めスイッチ８０がビデ洗浄中に操作されると、第２ノズル５２から洗浄水が吐出することが停止される。更に、通常制御モードによれば、便座スイッチ８６が操作されると、便座ヒータ３ｃひいては便座３の温度が調整される。温水スイッチ８７が操作されると、温水ヒータ２ｃひいては洗浄水の温度が調整される。このような通常制御モードは、使用者が便座３に着座するか、着座に近似した状態となることを前提としている。
【００１６】
図５に模式的に示されるように、温水洗浄便座装置９０の袖部２ａの内部には、採取された尿を検査し、この結果を検査項目ごとにディジタル化する検査装置１６０と伝送装置１０とが収容されている。検査装置１６０に、袖部２ａのスロット２ｂから尿が滴下された試験紙１１０が収容されたカートリッジ１００（図６）が装填され、便座スイッチ８６と温水スイッチ８７とが同時に押されると、検査装置１６０は、後述のように、イムノクロマト定量計測法に依拠して、尿を検査し、この結果を検査項目ごとにディジタル化して、伝送装置１０に送る。そして、被験者が甲野乙男である場合、止めスイッチ８０とおしりスイッチ８１とを同時に押せば、甲野乙男の識別番号とディジタル化された検査結果が、インターネット２０を介してディジタル化された尿の検査結果を病院ＨＳＰの端末装置３０に伝送される。また、被験者が甲野丙男である場合、止めスイッチ８０とビデスイッチ８２とを同時に押せば、甲野丙男の識別番号とディジタル化された検査結果が、インターネット２０を介してディジタル化された尿の検査結果を病院ＨＳＰの端末装置３０に伝送される。
【００１７】
しかして、識別番号の入力は、上記したような止めスイッチ８０とおしりスイッチ８１との同時押圧及び止めスイッチ８０とビデスイッチ８２との同時押圧の他、止めスイッチ８０と流水音スイッチ８３との同時押圧、止めスイッチ８０と便座スイッチ８６との同時押圧並びに止めスイッチ８０と温水スイッチ８６との同時押圧８７によっても行なうことが出来るようになっている。従って、操作ボタンの組み合わせにより、複数の被験者（この例では５人の被験者）を区別する識別番号を生成できるので、標準世帯の使用に耐え得ることが出来る。
【００１８】
イムノクロマト定量計測法に依拠して尿を検査する方法を、詳しく説明する。図６に示されるように、カートリッジ１００は、内部に試験紙１１０が収容されている。しかして、カートリッジ１００の上面には、試験紙１１０を外部に露呈せしめる第１窓１０１及び第２窓１０２が、夫々、一端部側及び他端部側に、形成されている。第１窓１０１に尿を滴下すると、尿は、毛細管現象で第２窓１０２の下側に至る。この状態で、カートリッジ１００の他端部側から、スロット２ｂを介して検査装置１６０の内部に装填し、しかる後に便座スイッチ８６と温水スイッチ８７とが同時に押すと、計測部１６１が第２窓１０２に沿って動き、第２窓１０２から露呈する試験紙１１０に浸透している尿を光で認知する。この認知された情報は、生成部１６２において、検査項目毎にディジタル化され、検査結果を生成する。そして、被験者が甲野乙男である場合、止めスイッチ８０とおしりスイッチ８１とを同時に押せば、甲野乙男の識別番号とディジタル化された検査結果が、インターネット２０を介してディジタル化された尿の検査結果を病院ＨＳＰの端末装置３０に伝送される。
【００１９】
伝送装置１０から送られる尿の検査結果を受領した端末装置３０は、その内容を画面上に見やすい形式で表示する。この表示を見た医師が、その所見を端末装置３０に入力したとき、その所見が、個人宅ＰＨに設置されているファクシミリ４０に送信される。ファクシミリ４０から出力された所見を見て、被験者は、しかるべきアクションをとることで、被験者の健康管理が行なわれるようになっている。しかして、検査結果の送信場所がトイレ空間であるのは、採尿後、直ちに検査結果を病院ＨＳＰの端末装置３０へ伝送するためである。
【００２０】
尚、尿の検査は、周知のＳＰＲ定量計測法に依拠して行なうことも出来る。
【図面の簡単な説明】
【００２１】
【図１】本発明に係る健康管理システムの一実施形態例のシステム図。
【図２】図１の健康管理システムに組み込まれる温水洗浄便座装置が便器に装着されたときの斜視図。
【図３】図２に示す温水洗浄便座装置の操作部の平面図。
【図４】図２に示す温水洗浄便座装置の制御回路図。
【図５】図１に示される健康管理システムの検査装置の配置状態を示す説明図。
【図６】採尿に用いられるカートリッジの平面図。
【符号の説明】
【００２２】
１０：伝送装置、２０：インターネット、４０：ファクシミリ（回答受領装置）、９０：温水洗浄便座装置、８０―８７：操作ボタン、１６０：検査装置
【図１】
2008216166.tif 000003
【図２】
2008216166.tif 000004
【図３】
2008216166.tif 000005
【図４】
2008216166.tif 000006
【図５】
2008216166.tif 000007
【図６】
2008216166.tif 000008